(57)【要約】      （修正有）【課題】電力のエネルギーを供給する装置で、発電機の発電に要する回転力の駆動システムを利用して最初の駆動モーターによる回転力の伝達を以って電力を数倍に供給する回転力発生器の発電装置の提供。【解決手段】駆動モーターを初期の回転動力として、これを減速機に伝え、伝達エネルギーを増幅して円筒の自己回転体の回転を行い、自己回転体が初期駆動エネルギーを受けて自己増幅し、該自己回転体には、増速機を連結すると共に、該増速機を介して同期発電機に供給するものである。このエネルギーを回転ベルト及びベルト車で伝達する。【選択図】図２
0003117210.tif 000002
【実用新案登録請求の範囲】
【請求項１】
回転動力の発生による発電装置において、初期に作動する回転動力として用いる駆動モーター（５）を装設し、該駆動モーター（５）には、連繋して減速機（４）を設け、該減速機（４）には回転軸（８）を介在して自己回転体（３）を連繋し、該自己回転体（３）には、増速機（２）を連結すると共に、該増速機（２）を介して同期発電機（１）に供給することを特徴とする回転力発生器の発電装置。
【請求項２】
請求項１における減速機（４）に回転軸（８）を介在した自己回転体（３）には、増速機（２）を連結し、該増速機（２）には、ベルト車（９）を設けた回転ベルト（６）を架設し、且つ、該自己回転体（３）には、並設して発電機（１）を装設し、該発電機（１）には、回転軸（８）を介してベルト車（９）を設け、該ベルト車（９）には、該増速機（２）に架設した該回転ベルト（６）を架設したことを特徴とする請求項１の回転力発生器の発電装置。
【請求項３】
駆動モーター（５）と並列に減速機（４）を設け、該駆動モーター（５）と該減速機（４）には、各々の両端の回転軸（８）及びベルト車（９）に回転ベルト（６）を架設し、該減速機（４）には、回転軸（８）を介して回転ベルト（６）を架設して自己回転体（３）に連結し、該自己回転体（３）は、増速機（２）との間を回転ベルト（６）を以って回転自在に架設し、該増速機（２）は、発電機（１）に設けた回転軸（８）のベルト車（９）に回転ベルト（６）を架設した事を特徴とする回転力発生器の発電装置。
【請求項４】
請求項３の駆動モーター（５）に回転ベルト（６）で並列された減速機（４）を設け、該減速機（４）の他方に設けた回転ベルト（６）と連通する可動軸（１０）に自己回転体（３）に架設して回転する平ベルト（１１）の端部を架渡し、該自己回転体（３）には、端部に設けた回転ベルト（６）が増速機（２）のベルト車（９）に架設され、該増速機（２）には、回転ベルト（６）を介して発電機（１）に設けた回転軸（８）とベルト車（９）とに回転自在に架設した事を特徴とする回転力発生器の発電装置。
【考案の詳細な説明】
【技術分野】
【０００１】  本考案は、新しい電力のエネルギーを供給するもので、発電機の発電に要する回転力の駆動システムを利用して最初の駆動モーターによる回転力の伝達及び連結Ｖベルト、平ベルトの作動によって数倍の電力を供給する回転力発生器の発電装置に関するものである。
【背景技術】
【０００２】  従来この種の発生装置は、駆動モーターによって、発電機を直接に作動して、電力エネルギーとして使用するのが一般的である。この場合は、入力した電力のエネルギーを消費するのみで、有効に活用していないと云う問題点と、初期に電力モーターを利用して、簡単な構造を利用して電力の増殖を達成するものは散見されていない現状である。
【考案の開示】
【考案が解決しよとうする課題】
【０００３】  本考案は、従来の技術的な問題点を解決するために、その主たる目的とする所は、電力モーターを初期の回転動力とし、先ず減速機に伝え、伝導エネルギーを増幅し、起電力の発生する自己回転体で回転を行い、次に自己の増幅である増速機により発電機で発電し、初期の電力エネルギーを数拾倍にして供給するための構成を特徴としたものである。
【課題を解決するための手段】
【０００４】  上記目的を達成するために、本考案によれば、駆動モーターに減速機を連繋し、この減速機に回転軸を介して自己回転体を連結し、該自己回転体には、増速機を連結し、その増速機を介して同期発電機に供給する。また、該自己回転体に設けた増速機にベルト車を取着し、且つ発電機にも相対するベルト車を設けて各々のベルト車に回転ベルトを架設したものである。さらに、駆動モーターと減速機とを並列に設置し、その一端の回転軸に回転ベルトを各々架設する。そして該減速機に架設した回転ベルトは、自己回転体の回転軸に架設して回転する。該自己回転体の他方の回転軸には、回転ベルトを架設し、その回転ベルトの他端は、増速機の一方に架設される。該増速機の他方には、回転ベルトを架設すると共に、その回転ベルトは、発電機に設けてあるベルト車に架設したものである。
また、駆動モーターと減速機を並列に設け、該減速機の回転軸に架設された回転ベルトの他端を自己回転体と並列に設けた可動軸に平ベルトで該自己回転体に架設する。該自己回転体には、端部のベルト車に架設した回転ベルトの端部を増速機のベルト車に架設回転する。該増速機に架設している他のベルト車の回転ベルトは、発電機に設けた回転軸のベルト車に架設したことを特徴としている。
【考案の効果】
【０００５】  以上説明したように、本考案の回転力発生器の発電装置によれば、複数の器具を直列又は並設に設置するだけで、初期の電力エネルギーを少なくとも１０倍以上に供給できると云う効果と、最初の駆動モーターの作動によって発電に要する高エネルギーを供給できるために電力料金が著しく安価となる経済的な優れた効果もある。そして、駆動モーター、減速機、自己回転体及び増速機と発電機とを直列に連繋する簡単な接続方法による回転力で容易に入力より大きな発電ができると云う効果がある。また、自己回転体と発電機との各々のベルト車に回転ベルトを架設したので、全体を小型化でき、且つ各々の回転は、架設されたベルトの回動によって起動を円滑に作動できる効果がある。
さらに、駆動モーター、減速機とを並設して回転ベルトを利用して自己回転体の回転を行い、且つ該自己回転体の端部の回転軸のベルト車と、増速機のベルト車とを回転ベルトを以って架設し、該増速機と該発電機とのベルト車に回転ベルトを架設したことにより、回転ベルトは正確に回転してエネルギーを各ベルトと各ベルト車に伝達すると云う新規な電力発生の方法である優れた効果がある。
【考案を実施するための最良の形態】
【０００６】  本考案の実施の形態を説明すると、この回転力発生器の駆動システムにおいては、駆動モーター（５）を初期の回転動として使用し、これを減速機（４）に伝える。この伝達エネルギーを増幅して、円筒の自己回転体（３）の中心の回転軸（８）に伝達し、初期の回転を行い、該自己回転体（３）が初期の駆動エネルギーを受けて自己増幅し、増速機（２）を介して同期発電機（１）に対する発電に要する高エネルギーを数倍にして供給し、このエネルギーをベルト及びベルト車によって伝達する新しい装置として使用するものである。
【実施例１】
【０００７】  次に本考案の実施例を図面について説明すると、図１に示すものは、矢印（７）の如く、直列に動力の流れを示し、電動モーターである駆動モーター（５）で初期の回転動力として、減速機（４）に伝え、次に回転軸（８）を介して起電力を発生する自己回転体（３）に連結し、該自己回転体（３）には、入力をより大きくする増速機（２）を連結介在した後に発電機（１）に連繋したものである。
【実施例２】
【０００８】  また、図２に示す実施例は、請求項２に示すもので、駆動モーター（５）に減速機（４）を連結し、該減速機（４）には、回転軸（８）を介して自己回転体（３）に連結すると共に、該自己回転体（３）は、発電機（１）と並列状に装設される。該自己回転体（３）には、軸を介して増速機（２）を連結する。該増速機（２）と、該発電機（１）との端軸に各々ベルト車（９）（９）を設け、該ベルト車（９）（９）には、各種の回転ベルト（６）を架設したものである。
【実施例３】
【０００９】  更に、図３に示す実施例のものは、請求項３に示すもので、駆動モーター（５）と、減速機（４）を並設し、該駆動モーター（５）の一端と、減速機（４）の両端には、各々回転軸（８）とベルト車（９）によって回転ベルト（６）（６）を架設する。該駆動モーター（５）は、回転ベルト（６）を以って減速機（４）を回転し、該減速機（４）は、該回転ベルト（６）を中心に回転軸（８）を設けた自己回転体（３）に連結してある。そして該自己回転体（３）の他端には、回転ベルト（６）を架設し、その回転ベルト（６）の端部は、増速機（２）の端部に設けた回転軸（８）に架設してある。該増速機（２）に設けた回転軸（８）とベルト車（９）の端部は、発電機（１）に設けた回転軸（８）のベルト車（９）に各々架設して矢印（７）の方向に回転している。
【実施例４】
【００１０】  また、図４に示す実施例のものは、請求項４に示すもので、駆動モーター（５）と減速機（４）とを並設し、該駆動モーター（５）は、一端部のベルト車（９）と該減速機（４）の一端部のベルト車（９）とを回転ベルト（６）によって回転自在に架設してある。次に、該減速機（４）の他端部に架設された回転ベルト（６）は、平ベルト（１１）（１１）を架設した可動軸（１０）の軸部に架設して自己回転体（３）に初期の回転を伝え、自己回転体（３）は駆動エネルギーを受けて自己増幅する。また、該自己回転体（３）のベルト車（９）に架設された回転ベルト（６）の端部は、増速機（２）の一端部に架設され、該増速機（２）の他端部は、ベルト車（９）によって回転ベルト（６）を架設してある。該増速機（２）に架設された該回転ベルト（６）は、発電機（１）の端部に設けた回転軸（８）に設けたベルト車（９）によって回転自在に架設した構成となっている。
【図面の簡単な説明】
【００１１】
【図１】  本考案の回転力発生器の全体を直列に配設した全体図である。
【図２】  同じく本考案の他の実施例を示す配列した全体図である。
【図３】  本考案の他の実施例を示す配列した全体図である。
【図４】  同じく本考案の他の実施例を示す配列した全体図である。
【符号の説明】
【００１２】    １          発電機
２          増速機
３          自己回転体
４          減速機
５          駆動モーター
６          回転ベルト
７          流れの矢印
８          回転軸
９          ベルト車
１０          可動軸
１１          平ベルト
【図１】
0003117210.tif 000003
【図２】
0003117210.tif 000004
【図３】
0003117210.tif 000005
【図４】
0003117210.tif 000006